(57)【特許請求の範囲】
【請求項１】
装置各部を回転駆動する各モータ１８，２９…の電流値をカレントトランス４０を設けて検出させ、穀粒貯留室７内の満量センサ７′が満量を検出するまで穀粒を張込む張込作業、乾燥する乾燥作業、及び機外へ排出する排出作業等の運転は、該各モータ１８，２９…の電流値ＶＣが予め設定した基準過負荷電流値ＶＡ以上の検出によって異常と判定させ、該乾燥機１へ張込む張込作業運転は、該設定基準過負荷電流値ＶＡを該乾燥作業運転、及び該排出作業運転よりも、高く設定すべく制御する制御装置３８を設け、
該制御装置３８は前記張込作業時に前記各モータ１８，２９…の過負荷を判定すると、過負荷率を算出し、該過負荷率が一定値以上の場合には警報及び過負荷であることの表示を行い、該過負荷率が一定値以上であることを一定時間内に連続して検出すると前記各モータ１８，２９…を停止する構成とすると共に、前記満量センサ７′が前記穀粒貯留室７内の穀粒の満量を検出して所定時間ｔ1後に前記各モータ１８，２９…を停止制御させた後、張込始動手段３１を再度操作すると前記各モータ１８，２９…は前記所定時間ｔ1より短い所定時間ｔ２後に停止する構成としたことを特徴とする穀粒乾燥機。
【発明の詳細な説明】
【０００１】
【発明の属する技術分野】
この発明は、穀粒乾燥機に関する。
【０００２】
【従来の技術】
従来乾燥機は、各モータによって、この乾燥機の各部が回転駆動され、乾燥する穀粒をこの乾燥機へ張込みする張込作業運転が行なわれたり、又、張込穀粒を乾燥する乾燥作業運転、及び機外へ排出する排出作業運転が行なわれるが、これら各作業のときに、各モータの電流値ＶＣをカレントトランス（以後カレントトランスはＣＴと表現する）を使用して検出させて、この検出された電流値ＶＣが、設定された所定の基準過負荷電流値ＶＡ以上が検出されると異常と判定されて、各モータの回転駆動が停止されて、乾燥機は自動停止される。
【０００３】
【発明が解決しようとする課題】
各作業運転の内の張込作業のときは、他の乾燥、及び排出作業のときに比べて、乾燥機内の各部を移送される穀粒量が多くなることがあり、このために各モータの負荷が大きくなることがあって、設定された基準過負荷電流値ＶＡは、各作業とも同じ値であることにより、負荷の大きい張込作業のときに、乾燥機が異常状態でないにもかかわらず異常と誤判定して、この乾燥機は自動停止制御されることがあったが、張込作業のときのみ基準過負荷電流値ＶＡを他の作業のときより所定値高く設定して、誤判定を防止させようとするものである。
また、張り込み作業の中断や穀粒貯留室内への穀粒の張り込みすぎを防止させようとするものである。
【０００４】
【課題を解決するための手段】
この発明は、装置各部を回転駆動する各モータ１８，２９…の電流値をカレントトランス４０を設けて検出させ、穀粒貯留室７内の満量センサ７′が満量を検出するまで穀粒を張込む張込作業、乾燥する乾燥作業、及び機外へ排出する排出作業等の運転は、該各モータ１８，２９…の電流値ＶＣが予め設定した基準過負荷電流値ＶＡ以上の検出によって異常と判定させ、該乾燥機１へ張込む張込作業運転は、該設定基準過負荷電流値ＶＡを該乾燥作業運転、及び該排出作業運転よりも、高く設定すべく制御する制御装置３８を設け、
該制御装置３８は前記張込作業時に前記各モータ１８，２９…の過負荷を判定すると、過負荷率を算出し、該過負荷率が一定値以上の場合には警報及び過負荷であることの表示を行い、該過負荷率が一定値以上であることを一定時間内に連続して検出すると前記各モータ１８，２９…を停止する構成とすると共に、前記満量センサ７′が前記穀粒貯留室７内の穀粒の満量を検出して所定時間ｔ1後に前記各モータ１８，２９…を停止制御させた後、張込始動手段３１を再度操作すると前記各モータ１８，２９…は前記所定時間ｔ1より短い所定時間ｔ２後に停止する構成としたことを特徴とする穀粒乾燥機の構成とする。
【０００５】
【発明の作用】
装置各部は各モータ１８，２９…によって回転駆動され、乾燥する穀粒を穀粒貯留室７へ張込する張込作業運転が行なわれたり、又、張込穀粒を乾燥する乾燥作業運転、及び機外へ排出する排出作業運転が行なわれるが、これら各作業のときに、該各モータ１８，２９…の電流値ＶＣをＣＴ４０を使用して検出させている。
【０００６】
張込作業運転のときは、設定される過負荷電流値は、乾燥、及び排出作業運転のときの設定された基準過負荷電流値ＶＡより所定値高く設定変更され、ＣＴ４０の使用によって検出された電流値ＶＣが、所定値高く変更設定された、この過負荷電流値以上が検出されると、制御装置３８は過負荷率を算出し、過負荷率が一定値以上の場合には警報及び過負荷であることの表示を行い、該過負荷率が一定値以上であることを一定時間に連続して検出すると穀粒乾燥機に異常が発生したと判定すると共に、各モータ１８，２９…の回転駆動が停止されて、該穀粒乾燥機が自動停止される。
【０００７】
また、満量センサ７′が穀粒貯留室７内の穀粒の満量を検出すると、所定時間ｔ1後に停止する。そして停止後、張込始動手段３１を再度操作すると、張込作業が再開されるが、所定時間ｔ1より短い所定時間ｔ２後に各モータ１８，２９…が停止する。
【０００８】
【発明の効果】
各作業運転の内の張込作業のときは、他の乾燥、及び排出作業のときに比べて、穀粒乾燥機内の各部を移送される穀粒量が多くなることがあり、このために各モータ１８，２９…の負荷が大きくなることがあるが、設定される過負荷電流値が他の乾燥、及び排出作業のときより、所定値高く設定変更されたことにより、ＣＴ４０使用によって検出された電流値ＶＣが過負荷であっても、高く設定変更された過負荷電流値以下であれば、過負荷であると判定されることがなくなり、張込作業運転のときは、過負荷電流値が高くなったことにより、誤判定が防止できた。
また、制御装置３８は過負荷率を算出し、警報及び過負荷であることの表示を行い、該過負荷率が一定値以上であることを一定時間に連続して検出すると穀粒乾燥機に異常が発生したと判定して各モータ１８，２９…を停止制御することで、各モータ１８，２９…が停止制御される前に、各モータ１８，２９…が過負荷になっていることを警報と表示との両者で作業者に知らせることにより、張込作業者は、張込する穀粒量を少なめに調節しながら張込みすることができて、このために張込作業が中断され難い。
また、満量センサ７′が穀粒貯留室７内の穀粒の満量を検出すると、所定時間ｔ1後に停止し、停止後、張込始動手段３１を再度操作すると、張込作業が再開されるが、所定時間ｔ1より短い所定時間ｔ２後に各モータ１８，２９…を停止することで、穀粒貯留室７内への穀粒が張込みすぎになることを防止できる。
【０００９】
【実施例】
以下、本発明の一実施例を図面に基づいて説明する。図例は、穀粒を乾燥する循環型の穀粒乾燥機１に穀粒の水分を検出する水分センサ２、及び熱風が発生するバーナ３等を装着した状態を示すものである。前記乾燥機１は、前後方向に長い長方形状で機壁４上部には、移送螺旋を回転自在に内装した移送樋５及び天井板６を設け、この天井板６下側には穀粒を貯留する穀粒貯留室７を形成している。この貯留室７内へ張込される穀粒の満量状態を検出するＯＮ−ＯＦＦスイッチ方式の満量センサ７′を設けている。
【００１０】
穀粒乾燥室８，８は、貯留室７下側において、左右両側の排風室９，９と中央の送風室１０との間に設け、これら乾燥室８，８下部には、穀粒を繰出し流下させる繰出バルブ１１を夫々回転自在に軸支している。集穀樋１２は、移送螺旋を回転自在に軸支し、各乾燥室８，８下側に設けて連通させている。
【００１１】
前記バーナ３は、バーナケース１３に内装して設け、このバーナケース１３は、前側機壁４正面側において、送風室１０入口側に対応すべくこの前側機壁４外側面に着脱自在に設け、又乾燥機１、水分センサ２及び該バーナ３等を張込、乾燥及び排出の各作業別に始動、及び停止操作する操作装置１４は、該前側機壁４外側面に着脱自在に設けている。
【００１２】
排風機１５は、後側機壁４で、左右の排風室９，９に連通すべく設けた排風路室１６中央後部側排風胴１７に設け、又この後側機壁４には、この排風機１５を回転駆動する排風機モータ１８を設けている。バルブモータ１９は、繰出バルブ１１，１１を減速機構を介して回転駆動させている。
【００１３】
燃料ポンプ２０は、燃料バルブを有して、バーナケース１３下板外側に設け、この燃料バルブの開閉により、この燃料ポンプ２０で燃料タンク２１内の燃料を吸入して、バーナ３へ供給させている。送風機２２は、上板外側に設け、変速用の送風機モータ２３で変速回転駆動させ、供給燃料に見合った燃料用空気を該バーナ３へこの送風機２２で送風させている。該バーナ３から発生する熱風と該バーナケース１３内を通過する外気風とが混合して乾燥熱風になる構成である。
【００１４】
拡散盤２４は、移送樋５底板の前後方向中央部で、移送穀粒を貯留室７へ供給する供給口の下側に設け、該貯留室７へ穀粒を均等に拡散還元させている。昇穀機２５は、前側機壁４外側部に設けられ、内部にはバケットコンベア２６付ベルトを張設してなり、上端部は、移送樋５始端部との間において投出筒２７を設けて連通させて、下端部は、集穀樋１２終端部との間において供給樋２８を設けて連通させている。該投出筒２７内には穀粒の循環を検出する検出板、及びＯＮ−ＯＦＦスイッチ等によりなる籾流れセンサ２７′を設けている。該昇穀機２５の下部には穀粒を張込する張込ホッパー２８′を設けている。
【００１５】
昇降機モータ２９は、バケットコンベア２６付ベルト、移送樋５内の移送螺旋、拡散盤２４、及び集穀樋１２内の移送螺旋等を回転駆動させている。前記水分センサ２は、昇穀機２５の上下方向ほぼ中央部に設け、この水分センサ２は、操作装置１４からの電気的測定信号の発信により、水分モータ３０が回転してこの水分センサ２の各部が回転駆動され、バケットコンベア２６で上部へ搬送中に落下する穀粒を受け、この穀粒を挾圧粉砕しながら、この粉砕穀粒の水分を検出させている。
【００１６】
前記操作装置１４は、箱形状でこの箱体の表面板には、乾燥機１、水分センサ２、及びバーナ３等を張込と、乾燥、及び排出との各作業別に始動操作する押ボタン方式でＯＮ−ＯＦＦスイッチの張込始動手段３１、乾燥・排出始動手段３２、停止操作する停止手段３３、穀粒の仕上目標水分を操作位置によって設定するロータリスイッチ方式の水分設定抓み３４、該バーナ３から発生する熱風の温度を操作位置によって設定するロータリスイッチ方式穀物種類設定抓み３５、及び張込量設定抓み３６、各種表示項目をデジタル表示する表示部３７、警報を発するブザー３７′、及びモニタ表示等を設けている。各モータ１８，１９，２３，２９，３０はハーネス等により、該操作装置１４へ接続されている。
【００１７】
制御装置３８、電磁トランス３９、及びＣＴ４０は、操作装置１４内に設けられ、該電磁トランス３９の入力は、整流回路、比較回路、及びデジタル回路等を経て５０ヘルツか６０ヘルツかの判定信号は、制御用マイクロコンピュータ４１へ入力される。該ＣＴ４０の入力は、整流・平滑回路、増幅回路、アナログ入力回路、及びＡ−Ｄ変換回路を経て各モータ１８，２９，３０の電流値ＶＣは、該制御用マイクロコンピュータ４１へ入力される。該ＣＴ４０は、負荷電流値の一番大きくなる昇降機モータ２９のみの電流値ＶＣを検出させてもよい。張込始動手段３１、及び乾燥・排出始動手段３２の操作の入力は、デジタル入力回路Ａを経て該制御用マイクロコンピュータ４１へ入力される。満量センサ７′、及び籾流れセンサ２７′の検出の入力は、デジタル入力回路Ｂを経て該制御用マイクロコンピュータ４１へ入力される。又、各設定抓み３４，３５，３６の操作は、この制御用マイクロコンピュータ４１へ入力されるが図示せず。
【００１８】
前記制御用マイクロコンピュータ４１ヘ入力された上記の判定信号、電流値ＶＣ、操作、及び検出信号入力等により、出力回路Ａを経て各モータ１８，１９，２９，３０は、回転、停止制御、及びブザー３７′より警報を発する制御が行なわれる。表示出力回路を経て各種表示項目は、表示部３７へ表示される。又出力回路Ｂを経て燃焼系の燃料ポンプ２０、燃料バルブ、及び送風機モータ２３等を回転、停止、及び調節制御される。
【００１９】
穀粒の張込作業運転は、張込始動手段３１の操作により、各モータ１８，２９，３０が回転駆動され、張込ホッパー２８′へ投入された穀粒は、バケットコンベア２６付ベルトで上部へ搬送され、投出筒２７を経て移送樋５内へ供給され、この移送樋５内を上部の移送螺旋により移送され、拡散盤２４上へ供給され、この拡散盤２４で穀粒貯留室７内へ均等に拡散供給させている。この張込作業のときは、穀粒水分は水分センサ２で検出させている。
【００２０】
前記制御装置３８による基準過負荷電流値ＶＡの設定変更の作用制御は、図１のフローチャートの如く、乾燥機１がＳＴＡＲＴされ（ステップ１０１）、張込始動手段３２がＯＮか検出され（ステップ１０２）、ＮＯのときは、ステップ１０２へ戻り、ＹＥＳのときは、設定されている過負荷設定電流値ＶＡが読み出しされ（ステップ１０３）、基準過負荷電流値ＶＡが補正係数Ｋによって、所定値高く補正処理されて、過負荷電流値ＶＢに設定変更され（ステップ１０４）、この過負荷電流値ＶＢがセットされ（ステップ１０５）、（ステップ１０６）〜（ステップ１０８）は、図示の如く制御される。検出電流値ＶＣと変更設定の過負荷電流値ＶＢとが比較されて過負荷か否か検出され（ステップ１０９）、ＮＯと検出されると、ステップ１１０へ進み、（ステップ１１０）〜（ステップ１１２）は、図示の如く制御され、ＲＥＴされる（ステップ１１６）。
【００２１】
ステップ１０９でＹＥＳと検出されると、過負荷電流値ＶＢがクリアされ（ステップ１１３）、モータ系出力がＯＦＦされ（ステップ１１４）、表示部３７へ乾燥機１に異常が発生したとし、異常表示され（ステップ１１５）、ＲＥＴされる（ステップ１１６）。図６は、他の実施例の作用を示す図で、図６のフローチャートの如く、ブザー３７′による警報、及び過負荷表示等の制御を示すものである。
【００２２】
前記乾燥機１がＳＴＡＲＴされ（ステップ２０１）、ステップ２０２へ進み、（ステップ２０２）〜（ステップ２０５）は、図示の如く制御される。過負荷と判定されると、過負荷率ｋが算出され（ステップ２０６）、過負荷率ｋと設定された一定値とが比較され、過負荷率ｋ≧一定値であるか検出され（ステップ２０７）ＮＯと検出されると、ステップ２０８へ進む（ステップ２０８）〜（ステップ２１０）は、図示の如く制御され、ＲＥＴされる（ステップ２１５）。
【００２３】
ステップ２０７でＹＥＳと検出されると、ブザー３７′がＯＮされて間欠警報が発せられ（ステップ２１１）、表示部３７へ過負荷表示され（ステップ２１２）、一定時間連続か検出され（ステップ２１３）、ＮＯと検出されるとステップ２０５へ戻り、ＹＥＳと検出されると過負荷停止処理され、乾燥機１が自動停止制御され（ステップ２１４）、ＲＥＴされる（ステップ２１５）。
【００２４】
上記により、乾燥機１が停止制御される前に、過負荷になっていることを警報と表示との両者で作業者に知らせることにより、張込作業者は、張込する穀粒量を少なめに調節しながら張込みすることができて、このために張込作業が中断されることがなくなった。図７は、他の実施例の作用を示す図で、図７のフローチャートの如く、満量センサ７′の穀粒満量検出入力から、乾燥機１の停止までの時間制御を示すものである。
【００２５】
前記乾燥機１がＳＴＡＲＴされ（ステップ３０１）、ステップ３０２へ進み、（ステップ３０２）〜（ステップ３０７）は、図示の如く制御される。ステップ３０７でＹＥＳと検出されると、検出から停止までの停止時間Ｔは、所定の停止時間ｔ1がセットされ（ステップ３０８）、又、ステップ３０７がＮＯと検出されると停止時間Ｔは、所定の停止時間ｔ1より、短い時間となる停止時間ｔ2がセットされ、すなわち（ｔ1＞ｔ2）の関係となり（ステップ３０９）、ステップ３１０へ進み、（ステップ３１０）〜（ステップ３１２）は、図示の如く制御され、ＲＥＴされる（ステップ３１３）。
【００２６】
上記により、乾燥機１の穀粒貯留室７内が穀粒で満量となり、満量センサ７′の満量検出してから、バケットや張込ホッパ２８′に残った穀粒をすべて張込させるため、この乾燥機１の停止までの停止時間をｔ1としているが、この停止時間ｔ1より、再張込運転のときは、短かくなる停止時間ｔ2としたことにより、乾燥機１内へ穀粒が張込みすぎになることを防止できた。
【００２７】
図８は、他の実施例の作用を示す図で、図８のフローチャートの如く、満量センサ７′の穀粒満量検出入力と、籾流れセンサ２７′の穀粒の移送検出入力とから、乾燥機１の停止までの時間制御を示すものである。前記乾燥機１がＳＴＲＡＴされ（ステップ４０１）、ステップ４０２へ進み、（ステップ４０２）〜（ステップ４０８）は、図示の如く制御される。ステップ４０８でＹＥＳと検出されると、籾流れセンサ２７′のＯＮ時間ｔｏｎがカウントされ（ステップ４０９）、ＯＮ時間ｔｏｎが設定された一定時間を経過したか検出され（ＯＮ時間ｔｏｎ＝一定時間か）（ステップ４１０）、ＮＯと検出されるとステップ４０８へ戻り、ＹＥＳと検出されると（ステップ４１１）へと進み（ステップ４１１）及び（ステップ４１３）は、図示の如く制御され、ＲＥＴされる（ステップ４１４）。
【００２８】
ステップ４０８でＮＯと検出されると、設定された一定時間経過か検出され（ステップ４１２）、ＮＯと検出されるとステップ４０７へ戻り、ＹＥＳと検出されるとステップ４１３へ進み、（ステップ４１３）は、図示の如く制御され、ＲＥＴされる（ステップ４１４）。上記により、満量検出後の張込できる余裕分を籾流れセンサ２７′で確認して、運転停止をすることにより、余裕分を作業者に知らせ、張込みすぎを防止することができる。
【００２９】
図９、及び図１０は、他の実施例を示す図で、図９のブロック図、及び図１０の電圧降下波形の如く、制御用マイクロコンピュータ４３の電源と、スイッチ関係の各手段３１，３２，３３、及び各センサ７′，２７′入力用の電源とを区別して制御する構成として、該各手段３１，３２，３３及び各センサ７′，２７′の電源をマイクロコンピュータ４３で監視し、その電源が一定電圧値ＶＴＨ以下となると停電と判定制御させ、各入力の読み込み処理を中断させる構成である。
【００３０】
図１０の如く、ｔ1の期間中はマイクロコンピュータ４３が作動中であるため、各手動手段３１，３２，３３の操作入力、及び各センサ７′，２７′の入力、この入力電圧Ｖ2が降下により、入力を誤検出することがあった。該マイクロコンピュータ４３が入力ＯＮと判定しないしきい値より、所定の一定の電圧値ＶＴＨを設定し、ｔ2の期間中は入力の読み込みを禁止させている。
【００３１】
上記により、電源ＯＦＦによる電圧降下を検出して、入力読み込み処理を禁止することにより、設定値が書き替わったり、又各センサ７′，２７′の異常が出たりする誤動作（各スイッチ関係、及び各センサ７′，２７′入力電源の降下による）を防止できた。図１１は、他の実施例の作用を示す図で、図１１のフローチャートの如く、複数の各スイッチ関係、及び各センサ７′，２７′の入力を同時にＯＮと検出したときの入力読み込み処理を示すものである。
【００３２】
前記乾燥機１がＳＴＲＡＴされ（ステップ５０１）、ステップ５０２ヘ進み、（ステップ５０２）〜（ステップ５０４）は、図示の如く制御される。ステップ５０４でＮＯと検出されると、（ステップ５０５）へ進み、（ステップ５０５）〜（ステップ５０６）は、図示の如く制御され、ＲＥＴされる（ステップ５０７）。ステップ５０４でＹＥＳと検出されると、ステップ５０７へ進み、ＲＥＴされる（ステップ５０７）。
【００３３】
上記により、電源ＯＦＦによる電圧降下を複数の入力ＯＮによって判断して、入力読み込み処理を禁止することにより、簡単に誤作動（入力の誤検出）を防止することができる。
【図面の簡単な説明】
図は、この発明の一実施例を示すものである。
【図１】 フローチャート図。
【図２】 ブロック図。
【図３】 穀粒乾燥機の一部破断せる全体側面図。
【図４】 図３のＡ−Ａ拡大断面図。
【図５】 操作装置の一部破断せる拡大正面図。
【図６】 他の実施例を示す図で、フローチャート図。
【図７】 他の実施例を示す図で、フローチャート図。
【図８】 他の実施例を示す図で、フローチャート図。
【図９】 他の実施例を示す図で、ブロック図。
【図１０】 他の実施例を示す図で、電圧降下波形図。
【図１１】 他の実施例を示す図で、フローチャート図。
【符号の説明】
１ 乾燥機
１８ モータ
２９ モータ
３８ 制御装置
４０ カレントトランス
ＶＣ 電流値
ＶＡ 基準過負荷電流値
【図１】
0003743045.tif 000002
【図２】
0003743045.tif 000003
【図３】
0003743045.tif 000004
【図４】
0003743045.tif 000005
【図５】
0003743045.tif 000006
【図６】
0003743045.tif 000007
【図７】
0003743045.tif 000008
【図８】
0003743045.tif 000009
【図９】
0003743045.tif 000010
【図１０】
0003743045.tif 000011
【図１１】
0003743045.tif 000012